(57)【特許請求の範囲】
【請求項１】
オーガハウジング（１０）内に設けられたオーガパドル（２８）を動力源で駆動し、オーガパドル（２８）で集めた雪を、オーガハウジング（１０）の投雪口（１２）から放出するようにした除雪機において、
前記オーガハウジング（１０）を、投雪口（１２）を備える上部半体（１１）と、オーガパドル（２８）を支持する下部半体（１７）とで構成し、
前記上部半体（１１）は、投雪口（１２）を備える後半部（１１Ｂ）と、庇部（１３）を備える前半部（１１Ａ）とからなり、該庇部（１３）は前上傾する壁面（１１ｂ）と、該壁面（１１ｂ）から前方に突出する上壁（１１ｃ）とで形成し、
前記オーガハウジング（１０）の上部半体（１１）と下部半体（１７）とを、該オーガハウジング（１０）内の前記投雪口（１２）の前方に配設した雪落としガイド（２７）を兼ね、前記オーガパドル（２８）の前上方で、該オーガパドル（２８）と隙間をもって配置した連結部材（２０）で連結し、
前記連結部材（２０）は断面略々Ｌ字型であり、前記庇部（１３）の前上傾する壁面（１１ｂ）の下部前面に結合される上片（２０ａ）と、投雪口（１２）の前方で、上部半体（１１）の中間部の天井近くにあって前下傾し、前下方に所定長さ突出し、投雪口（１２）の左右の内壁面（１１ａ）の湾曲面と概ね連続する面を構成するように位置する下片（２０ｂ）とを備える、
ことを特徴とする除雪機のオーガハウジング。
【請求項２】
前記オーガハウジング（１０）の上部半体（１１）は樹脂製であり、下部半体（１７）は鋼板製であり、前記連結部材（２０）はオーガハウジング（１０）内の幅方向にわたるように設けたことを特徴とする請求項１に記載の除雪機のオーガハウジング。
【発明の詳細な説明】
【０００１】
【発明の属する技術分野】
本発明は、オーガハウジング内に収容された動力源で駆動されるオーガパドルを回転駆動し、雪を掻いて集め、オーガハウジングに設けた投雪口からシュータを介して放出するようにした形式の小型の除雪機のオーガハウジングの改良に関する。
【０００２】
【従来の技術】
この種の除雪機は、従来特開昭６２−６３７０８号、特許第２５５６８８６号が知られている。
この除雪機は、オーガハウジング内に横架したオーガパドルをエンジンで回転駆動し、オーガパドルの両側部の螺旋部で雪を掻いて集め、中央部の投雪部に雪を寄せ集め、投雪部の回転遠心力で雪を跳ね上げ、ハウジング上に開口した投雪口から雪をシュータを介して放出するものである。
【０００３】
【発明が解決しようとする課題】
かかる除雪機で、オーガパドルで掻き集めた雪を投雪口から放出するものであるが、投雪口から外れた雪は、雪落としガイドでオーガパドル上に落とし、再度寄せ集めて投雪口から放出する。
雪落としガイドとしては、上記した特開昭６２−６３７０８号では、オーガパドルの軸心の上方に配置し、投雪口を構成する投雪ダクトの下部に、これの一部を構成するように設けられている。
【０００４】
以上のオーガハウジングは外形が大きく、形状も複雑であり、従って鋼板のプレス成形で分割部材を形成し、これらの部材を溶接等で接合し、一体化し、オーガハウジングを構成するのが一般である。
ところで、軽量化、製作の簡易化等の要請により、オーガパドルを支持する半体を剛性確保の点から鋼板製とし、投雪口を備える半体を樹脂で成形した際、これ等の半体相互を連結する必要があり、又投雪口の近傍には雪落としガイドを設けることが望ましい。
【０００５】
本発明者等は、以上の要望に応えるべく、上記した連結部材をオーガハウジング半体相互の連結部材として必要であること、又投雪口近傍に雪落としガイドを必要とすることに鑑み、これ等を共通化することで、部材の削減、除雪機の機能性の向上が図れることに着目し、本発明をなしたものである。
従って、本発明の目的とする処は、オーガハウジングの上部半体と下部半体とを、オーガハウジング内に配置した連結部材で連結し、内部の連結部材を投雪口近傍に設けることで投雪口から外れた雪の雪落としガイドを兼用させ、オーガハウジングの上下の半体の剛性の高い連結、雪落としガイドを兼ねることで部品点数の削減を図り、又雪落としガイドを備えることで、機能性に優れた除雪機を得ることができる除雪機のオーガハウジングを提供することにある。
【０００６】
【課題を解決するための手段】
上記課題を解決するために請求項１は、オーガハウジング１０内に設けられたオーガパドル２８を動力源で駆動し、オーガパドル２８で集めた雪を、オーガハウジング１０の投雪口１２から放出するようにした除雪機において、前記オーガハウジング１０を、投雪口１２を備える上部半体１１と、オーガパドル２８を支持する下部半体１７とで構成し、前記上部半体１１は、投雪口１２を備える後半部１１Ｂと、庇部１３を備える前半部１１Ａとからなり、該庇部１３は前上傾する壁面１１ｂと、該壁面１１ｂから前方に突出する上壁１１ｃとで形成し、前記オーガハウジング１０の上部半体１１と下部半体１７とを、該オーガハウジング１０内の前記投雪口１２の前方に配設した雪落としガイド２７を兼ね、前記オーガパドル２８の前上方で、該オーガパドル２８と隙間をもって配置した連結部材２０で連結し、前記連結部材２０は断面略々Ｌ字型であり、前記庇部１３の前上傾する壁面１１ｂの下部前面に結合される上片２０ａと、投雪口１２の前方で、上部半体１１の中間部の天井近くにあって前下傾し、前下方に所定長さ突出し、投雪口１２の左右の内壁面１１ａの湾曲面と概ね連続する面を構成するように位置する下片２０ｂとを備えることを特徴とする。
【０００７】
請求項１では、オーガハウジング１０の上部半体１１と下部半体１７とを連結する連結部材２０が、雪落としを兼ねるので、連結部材、雪落としを個別に設ける必要が無く、部品点数の削減に寄与する。また、跳ね上げられ、投雪口１２から外れた雪の雪落とし機能に優れる。
【０００８】
請求項２は、請求項１において、オーガハウジング１０の上部半体１１は樹脂製であり、下部半体１７は鋼板製であり、連結部材２０はオーガハウジング１０内の幅方向にわたるように設けた。
【０００９】
請求項２では、上部半体１１が樹脂製なので、軽量化、成形の容易化を図ることが出来、下部半体１７は鋼板製なので、オーガパドル２８の支持剛性を確保することが出来、且つ連結部材２０をオーガハウジング１０内の幅方向にわたるように設けたので、上部半体１１の幅方向に、梁状にブリッジ構造に連結部材が配置され、樹脂製の上部半体１１の剛性に高いものが得られ、又オーガパドル２８両端を支持する下部半体１７の両側板の剛性も向上する。
【００１０】
【発明の実施の形態】
本発明の実施の形態を添付図に基づいて以下に説明する。なお、図面は符号の向きに見るものとする。
図１は本発明に係る除雪機の概略側面図、図２は同正面図、図３はオーガハウジング部分の縦断側面図、図４はオーガハウジングの上部半体、下部半体の連結構造を示す縦断正面図で、中間部を省略した図、図５は上部半体、下部半体、及び連結部材の分解斜視図で一部を示した図、図６は作用説明図で、模式的側面図、図７は作用説明図で模式的背面図である。
図において、除雪機の進行方向を基準としてＦｒは前方を、Ｒｒは後方を示し、又Ｒは右方を、Ｌは左方を示した。
【００１１】
図１は本発明にかかる除雪機１の外観側面図を示し、基枠２上にエンジン３を搭載し、エンジン３の廻りをカバー４で覆い、カバー４内で、エンジン３後方、且つ側方には、燃料タンクを収納し、図では給油用のキャップ５が後部の上方に突出する。又基枠２の後部の下部から、後上傾するようにハンドル６を延出し、基枠２の下部を構成するプレート７の左右には転輪で構成した車輪８を備え、エンジン３の出力制御は、ハンドル６に付設したスロットルレバー９の操作でケーブル９ａを介して気化器を開閉制御して行う。
【００１２】
除雪機１の前部には、前方、且つ下方に開放したオーガハウジング１０を備える。該オーガハウジング１０は、上下に分割された上部半体１１、下部半体１７を一体化して構成する。
上部半体１１の後半部の幅方向中央部には、オーガハウジング１０全体の略々１／２の幅を有する投雪口１２を備え、投雪口１２は、図７に示すように背面視において下部が幅広で、上部が幅狭であり、背面視略々台形状の短いダクトで構成した。
【００１３】
上部半体１１は庇部１３を備える前半体１１Ａと、投雪口１２を備える後半体１１Ｂとからなる。前記投雪口１２の左右の内壁面１１ａは、図３に示すように幅方向全体にわたり後下方に弧状をなし、投雪口１２の前方の部分の庇部１３は、幅方向全体にわたって全体として前上傾する壁面１１ｂ、及び壁面１１ｂの前端部から前方に突出した上壁１１ｃを備える庇部１３として形成されている。庇部１３を含む部分の構造は図５に示す如くで、前記庇部１３の左右両端部には、側板部１１ｄ，１１ｄが下方に所定長さ突出するように設けられている。
上部半体１１の投雪口１２を備える後半部と、庇部１３を備える前半部との境界部の内側天井部１１ｅはＵ字型に屈曲して前上傾する壁面１１ｂに連続する。
【００１４】
前記した庇部１３の両側の側板部１１ｄ，１１ｄの下端部には、図４、図５に示すように外側方に膨出したリブ１１ｆを設け、この部分に下方に開放した係合溝１４を前後方向に設け、又側板部１１ｄ，１１ｄの前部は、下方への突出片１１ｇを一体に設けた。
上記突出片１１ｇには取付孔１５を設け、又前記した幅方向に延びる壁面１１ｂの下部には、幅方向に離間して複数の取付孔１６…（…は複数を表す。以下同じ）を前後に貫通するように設ける。
以上の上部半体１１は、実施例では樹脂で成形した。
【００１５】
１７は鋼板素材で形成した下部半体で、左右の側板部１７ａ，１７ａ、側板部１７ａ，１７ａの後端部の下部間を繋ぐ後壁部１７ｂを備え、後部の上半部は開放されている。
側板部１７ａ，１７ａの前部の上部には、前記上部半体１１の突出片１１ｇには設けた取付孔１５に対応するウエルドナット１８を設け、又前後方向の中間部には取付孔１９を設ける。
【００１６】
図４、図５で詳細に示した２０は連結部材で、断面略々Ｌ字型をなし、鋼材で形成し、オーガハウジング１０の幅方向の内側寸法の長さを有する。
連結部材２０の上片２０ａ、これの下端縁から前方に屈曲して延出した下片２０ｂを一体に備える。又下片２０ａの長さ方向の両端部には、屈曲して起立させた側片２０ｃ，２０ｃを一体に備え、上片２０ａには、前記した上部半体１１の壁面１１ｂの下部に設けた取付孔１６…と対応する取付孔２１…を設ける。又側片２０ｃ，２０ｃの内側には、前記下部半体１７の側板部１７ａ，１７ａに設けた取付孔１９に対応するウエルドナット２２を設けた。
上片２０ａは図３で明示したように、前上傾する壁面１１ｂの下部の前面に結合されている。下片２０ｂは、投雪口１２の前方で、上部半体１１の中間部の天井近くにあって前下傾し、前下方に所定長さ突出し、投雪口１２の左右の内壁面１１ａの湾曲面と概ね連続する面を構成するように位置する。
【００１７】
以上において、上部半体１１の側板１１ｄ，１１ｄの下部の外側部に設けた前記溝１４に、下部半体１７の側板部１７ａ，１７ａの各上端縁１７ｃを係合し、突出部１１ｇに設けた取付孔１５からボルト２３を側板部１７ａ，１７ａのナット１８に通し、締着して上部半体１１の前部下部と、下部半体１７の側板部１７ａの前部の上部とを結合する。
又連結部材２０の上片２０ａに設けた取付孔２１…の前方からボルト２４…を上部半体１１の前記した壁面１１ｂの下部に設けた取付孔１６…に通し、裏側からナット２５を螺合し、連結部材２０を壁面１１ｂの下部の前面に結合する。
【００１８】
又連結部材２０の側片２０ｃ，２０ｃを下部半体１７の側板部１７ａ，１７ａの前記した取付孔１９に合せ、外側からボルト２６を通してナット２２に螺合し、連結部材２０の両端部に下部半体１７の側板部１７ａ，１７ａを結合する。
【００１９】
以上により、樹脂製の上部半体１１の内部には、幅方向一杯にわたり連結部材２０が横架されたこととなり、連結部材２０は梁部材として幅方向に全般にわたって設けられることとなり、上部半体１７の幅方向の剛性は向上する。
又連結部材２０の両端部は、下部半体１７の左右の側板部１７ａ，１７ａ間に架設され、従って側板部１７ａ，１７ａ間において、所謂クロスメンバーとして機能し、側板部１７ａ，１７ａの剛性を向上させる。
【００２０】
ところで、連結部材２０の下片２０ｂは、図３に示したように、オーガハウジング１０内において、中間部の天井近くにあって前下傾し、下片２０ｂは前下方に所定長さ突２出し、下片２０ｂは投雪口１２の左右の内壁面１１ａの弯曲面と概ね連続する面を構成する。
連結部材２０の全体を含む下片２０ｂは、投雪口１２の前方に位置し、後述するオーガパドル２８で掻き集めた雪を投雪口から放出する際、投雪口１２から外れた雪が該下片２０ｂに衝突し、雪を下方のオーガパドル２８に落下させる雪落としガイド２７を構成する。
【００２１】
尚、図４で示したように、オーガハウジング１０の左側の側板部１７ａ´の上部は、内側に一段潜らせて凹部１７ｄを形成し、この部分にオーガパドル２８の駆動系を収納するスペースとした。
【００２２】
オーガハウジング１０内には、オーガパドル２８を収納、配設し、オーガパドル２８は、支軸２８ａの両端部を下部半体１７の側板部１７ａ，１７ａで回転可能に支持し、軸方向両側の螺旋部２８ｂ，２８ｂ、中央部の投雪部２８ｃを備える。
オーガパドル２８を前述のエンジン３で図３の矢印イの方向（図では反時計方向）に回転駆動し、雪を螺旋部２８ｂ，２８ｂで掻き集め、且つ中央部の投雪部２８ｃに寄せて集め、中央部の投雪部２８ｂの矢印ロ方向への回転遠心力で、図６、図７のように投雪口１２を介して放出し、投雪口１２の上部には回転（旋回）可能にシュータ２９を備え、雪の放出方向を調節し、シュータ２９の上端部には、雪の放出高さ方向を調節するガイドコーン３０を伏仰調節可能に設けた。
尚、図３、図６において、３１は雪掻き高さの調節、雪掻き後の地面の凹凸を掻きならすスクレーパであり、高さ調節可能に設けた。
【００２３】
オーガパドル２８の駆動機構としては、前記したエンジン３の出力軸３ａに設けた駆動プーリ３２と、オーガパドル２８の支軸２８ａに設けた被動プーリ３３とを、ベルト３４で連結したベルト・プーリ機構を採用した。これ等ベルト・プーリ機構は左側に配置し、外側をサイドカバー３５で覆った。
【００２４】
以上において、オーガパドル２８の前記した回転で雪を掻き、中央部の投雪部２８ｃに雪を寄せ集め、回転遠心力で雪を上方の投雪口１２からシュータ２９を介して放出するものであるが、投雪口１２から外れた雪は、投雪口１２の前方に設けた連結部材２０の下片２０ｂで構成される雪落としガイド２７に、図６に示すように衝突する。
衝突した雪は、矢印ハで示すように下方に落下し、オーガパドル２８上に落下し、再度螺旋部２８ｂ，２８ｂで集められて投雪部２８ｃに至り、放出される。
この際、雪落としガイド２７は、壁面１１ａの弯曲面と概ね連続する面となるように構成されているので、雪を円滑に、確実にオーガパドル２８上に落下させる雪落とし機能を発揮する。
【００２５】
以上、実施例では、上部半体１１を樹脂製とした例を説明したが、上部半体１１を下部半体１７と同様に鋼板のプレス成形品の溶接接合体で構成しても良いことは勿論である。
【００２６】
【発明の効果】
本発明は上記構成により次の効果を発揮する。
請求項１は、オーガハウジング１０内に設けられたオーガパドル２８を動力源で駆動し、オーガパドル２８で集めた雪を、オーガハウジング１０の投雪口１２から放出するようにした除雪機において、オーガハウジング１０を、投雪口１２を備える上部半体１１と、オーガパドル２８を支持する下部半体１７とで構成し、上部半体１１は、投雪口１２を備える後半部１１Ｂと、庇部１３を備える前半部１１Ａとからなり、該庇部１３は前上傾する壁面１１ｂと、該壁面１１ｂから前方に突出する上壁１１ｃとで形成し、前記オーガハウジング１０の上部半体１１と下部半体１７とを、該オーガハウジング１０内の投雪口１２の前方に配設した雪落としガイド２７を兼ね、オーガパドル２８の前上方で、該オーガパドル２８と隙間をもって配置した連結部材２０で連結し、連結部材２０は断面略々Ｌ字型であり、庇部１３の前上傾する壁面１１ｂの下部前面に結合される上片２０ａと、投雪口１２の前方で、上部半体１１の中間部の天井近くにあって前下傾し、前下方に所定長さ突出し、投雪口１２の左右の内壁面１１ａの湾曲面と概ね連続する面を構成するように位置する下片２０ｂとを備えるようにしたので、オーガハウジング１０の上部半体１１と下部半体１７とは、連結部材２０で連結され、上部半体１１、下部半体１７を、夫々剛性を向上させつつ連結することが出来る。
【００２７】
特に連結部材２０は、雪落としを兼ねるので、連結部材、雪落としを個別に設ける必要が無く、部品点数の削減に寄与し、又連結部材２０を取り付けるだけで、上部半体１１、下部半体１７の双方を連結しつつ、雪落としガイドを設けることが出来るので、除雪機の製作上も作業工数が削減され、オーガハウジング１０の製作が簡易化し、コストダウンにも資する。
また、投雪口１２から外れた雪は、上部ハウジング１１ａ内周面と連続するように構成した雪落としガイドに衝突して効果的に下方に落下させることが出来、投雪口１２から外れた雪のオーガパドルへの雪落とし機能に優れる。
【００２８】
請求項２は、請求項１において、オーガハウジング１０の上部半体１１は樹脂製であり、下部半体１７は鋼板製であり、連結部材２０はオーガハウジング１０内の幅方向にわたるように設けたので、上部半体１１が樹脂製とすることで、軽量化、成形の容易化を図ることが出来、下部半体１７は鋼板製にしたことで、オーガパドル２８の支持剛性を確保することが出来、且つ連結部材２０をオーガハウジング１０内の幅方向にわたるように設けたので、上部半体１１の幅方向に、梁状にブリッジ構造に連結部材２０が配置されることとなる。
【００２９】
従って、樹脂製の上部半体１１の剛性は、幅方向に設けた雪落としガイドを兼ねる連結部材２０により向上させることが出来、樹脂製上部半体１１の剛性向上の点で優れたものが得られる。又オーガパドル２８両端を支持する下部半体１７の両側板間を、雪落としガイドを兼ねる連結部材２０で連結したので、雪落としガイドが謂わばクロスメンバーとして連結部材２０は機能し、板状の両側の側板の内側への撓みを防止し、下部半体１７の剛性を向上させることが出来る。
【図面の簡単な説明】
【図１】  本発明に係る除雪機の概略側面図
【図２】  本発明に係る除雪機の正面図
【図３】  本発明に係るオーガハウジング部分の縦断側面図
【図４】  本発明に係るオーガハウジングの上部半体、下部半体の連結構造を示す縦断正面図で、中間部を省略した図
【図５】  本発明に係る上部半体、下部半体、及び連結部材の分解斜視図で一部を示した図
【図６】  本発明に係る作用説明図で、模式的側面図
【図７】  本発明に係る作用説明図で模式的背面図
【符号の説明】
１…除雪機、  ３…動力源であるエンジン、  １０…オーガハウジング、  １１…上部半体、  １１Ａ…前半部、 １１Ｂ…後半部、  １１ａ…内周面を構成する壁面、  １２…投雪口、  １３…庇部、  １７…下部半体、  ２０…連結部材、  ２０ａ…上片、 ２０ｂ…下片、  ２７…雪落としガイド、  ２８…オーガパドル。
【図１】
0003666784.tif 000002
【図２】
0003666784.tif 000003
【図３】
0003666784.tif 000004
【図４】
0003666784.tif 000005
【図５】
0003666784.tif 000006
【図６】
0003666784.tif 000007
【図７】
0003666784.tif 000008